(57)【要約】【課題】Ｐｃｅｌｌ及び「ＤＬ  Ｓｃｅｌｌ」を用いてＣＡが行われている状態で、「ＵＬ  Ｓｃｅｌｌ」が追加されるケースにおいて、上りリンクにおける干渉の発生を回避する。【解決手段】本発明に係る移動局ＵＥは、Ｐｃｅｌｌ及び「ＤＬ  Ｓｃｅｌｌ」を用いてＣＡが行われている状態で、「ＵＬ  Ｓｃｅｌｌ」を追加した場合、かかる「ＤＬ  Ｓｃｅｌｌがアクティブ状態であっても、所定期間、かかる「ＵＬ  Ｓｃｅｌｌ」を用いた信号の送信を行わないように構成されている。【選択図】図３
2015076848.tif 000002
【特許請求の範囲】
【請求項１】
移動局であって、
プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、所定期間、該上りリンク用セカンダリセルを用いた信号の送信を行わないように構成されていることを特徴とする移動局。
【請求項２】
移動局であって、
プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、アクティブ指示を受信するまでは、該上りリンク用セカンダリセルを用いた信号の送信を行わないように構成されていることを特徴とする移動局。
【請求項３】
移動局であって、
プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、無線基地局から上りリンクグラントを受信するまでは、該上りリンク用セカンダリセルを用いた信号の送信を行わないように構成されていることを特徴とする移動局。
【請求項４】
無線基地局であって、
プライマリセル及び下りリンク用セカンダリセルを用いてキャリアアグリゲーションが行われている移動局に対して、上りリンク用セカンダリセルを追加するように指示する場合、該下りリンク用セカンダリセルを非アクティブ化するように構成されていることを特徴とする無線基地局。
【請求項５】
無線基地局であって、
プライマリセル及び下りリンク用セカンダリセルを用いてキャリアアグリゲーションを行っている移動局に対して、上りリンク用セカンダリセルを追加するように指示する場合、該下りリンク用セカンダリセルを一旦削除して上りリンク及び下りリンク用セカンダリセルを追加するように構成されていることを特徴とする無線基地局。
【請求項６】
無線基地局であって、
プライマリセル及び下りリンク用セカンダリセルを用いてキャリアアグリゲーションを行っている移動局に対して、上りリンク用セカンダリセルを追加するように指示する場合、Ｉｎｔｒａ-ｃｅｌｌハンドオーバを起動するように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、移動局ＵＥは、複数のセル（或いは、ＣＣ：Ｃｏｍｐｏｎｅｎｔ  Ｃａｒｒｉｅｒ）を用いてＣＡ（Ｃａｒｒｉｅｒ  Ａｇｇｒｅｇａｔｉｏｎ）を行うことができるように構成されている。
【０００３】
ＣＡが行われる際には、移動局ＵＥに対して、接続性を担保する信頼性の高いセルであるＰｃｅｌｌ（Ｐｒｉｍａｒｙ  ｃｅｌｌ）及び付随的なセルであるＳｃｅｌｌ（Ｓｅｃｏｎｄａｒｙ  ｃｅｌｌ）が設定される。
【０００４】
移動局ＵＥは、第１に、Ｐｃｅｌｌに接続し、必要に応じて、Ｓｃｅｌｌを追加することができる。
【０００５】
Ｐｃｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。移動局ＵＥのＰｃｅｌｌを変更する場合には、ハンドオーバ処理が必要である。
【０００６】
また、Ｓｃｅｌｌは、Ｐｃｅｌｌに追加されて移動局ＵＥに対して設定されるセルである。Ｓｃｅｌｌの追加及び削除は、ＲＲＣ（Ｒａｄｉｏ  Ｒｅｓｏｕｒｃｅ  Ｃｏｎｔｒｏｌ）シグナリングによって行われる。
【０００７】
Ｓｃｅｌｌは、移動局ＵＥに対して設定された直後は、非アクティブ状態（ｄｅａｃｔｉｖｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。
【０００８】
すなわち、Ｓｃｅｌｌは、アクティブ状態及び非アクティブ状態のいずれかの状態を取る（例えば、非特許文献１参照）。ここで、アクティブ状態は、通信が可能な状態であり、非アクティブ状態は、通信できないが、バッテリーセービングが可能な状態である。
【０００９】
特に、移動局ＵＥは、Ｓｃｅｌｌに対する「Ａｃｔｉｖａｔｅ  ｃｏｍｍａｎｄ」を受信すると、以下の動作を行うことが規定されている。
【００１０】
-  かかるＳｃｅｌｌにおいて、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信される信号を受信する。
【００１１】
-  かかるＳｃｅｌｌにおいて、「ＣＳＩ（Ｃｈａｎｎｅｌ  Ｓｔａｔｅ  Ｉｎｄｉｃａｔｏｒ）  ｒｅｐｏｒｔｉｎｇ」を行うこと。
【００１２】
-  かかるＳｃｅｌｌにおいて、ＳＲＳ（Ｓｏｕｎｄｉｎｇ  Ｒｅｆｅｒｅｎｃｅ  Ｓｉｎｇａｌ）を送信すること。
【００１３】
-  「ｓＣｅｌｌＤｅａｃｔｉｖａｔｉｏｎＴｉｍｅｒ」を起動又は再起動すること。
【００１４】
-  上りリンクが設定（ｃｏｎｆｉｇｕｒｅ）されているＳｃｅｌｌにおいて、ＰＨＲ（Ｐｏｗｅｒ  Ｈｅａｄ  Ｒｏｏｍ）をトリガすること。
【００１５】
この際、移動局ＵＥは、Ｐｃｅｌｌ及びアクティブ状態のＳｃｅｌｌのＰＨＲを報告する。
【先行技術文献】
【非特許文献】
【００１６】
【非特許文献１】３ＧＰＰ  ＴＳ３６.３２１
【発明の概要】
【発明が解決しようとする課題】
【００１７】
しかしながら、上述のＬＴＥ方式において、本出願人及び本発明者は、以下の問題点を発見した。
【００１８】
具体的には、移動局ＵＥは、図６（ａ）に示すように、Ｐｃｅｌｌ及び「ＤＬ  Ｓｃｅｌｌ」を用いてＣＡが行われている状態で、図６（ｂ）に示すように、「ＵＬ  Ｓｃｅｌｌ」を追加するケースでは、ＲＲＣ（Ｒａｄｉｏ  Ｒｅｓｏｕｒｃｅ  Ｃｏｎｔｒｏｌ）レイヤにおいて「ＵＬ  Ｓｃｅｌｌ」の追加指示が行われるが、ＲＲＣレイヤでのＳｃｅｌｌの設定処理（パラメータ設定処理）が終わっていても、移動局ＵＥにおける処理遅延によっては、ＲＦ（物理レイヤ）での設定が完了していないという期間が存在し得る。
【００１９】
ここで、Ｓｃｅｌｌの状態（アクティブ状態又は非アクティブ状態）は、「ＤＬ  Ｓｃｅｌｌ」及び「ＵＬ  Ｓｃｅｌｌ」で共通であるため、上述のケースにおいて、既に「ＤＬ  Ｓｃｅｌｌ」がアクティブ状態である場合には、「ＵＬ  Ｓｃｅｌｌ」は、ＲＲＣレイヤでのＳｃｅｌｌの設定処理が完了した直後から、ＳＲＳやＰＵＳＣＨ（Ｐｈｙｓｉｃａｌ  Ｕｐｌｉｎｋ  Ｓｈａｒｅｄ  Ｃｈａｎｎｅｌ）を介して送信すべき信号等の送信が可能である。
【００２０】
なお、「ＤＬ  Ｓｃｅｌｌ」は、下りリンク専用のＳｃｅｌｌであり、「ＵＬ  Ｓｃｅｌｌ」は、上りリンク専用のＳｃｅｌｌである。
【００２１】
上述のようなＲＦでの設定が完了していないという期間において、移動局ＵＥが、上りリンクにおける信号を送信すると、無線基地局ｅＮＢでは、変な信号が送信されているように見えるため、上りリンクにおける干渉が発生してしまうという問題点があった。
【００２２】
具体的には、図７に示すように、ステップＳ１００１において、無線基地局ｅＮＢは、移動局ＵＥに対して、「ＵＬ  Ｓｃｅｌｌ」を追加するように指示する「ＲＲＣ  ｃｏｎｎｅｎｃｔｉｏｎ  ｒｅｃｏｎｆｉｇｕｒａｔｉｏｎ」を送信する。
【００２３】
移動局ＵＥは、かかる「ＲＲＣ  ｃｏｎｎｅｎｃｔｉｏｎ  ｒｅｃｏｎｆｉｇｕｒａｔｉｏｎ」に応じて、ＲＲＣレイヤにおける設定処理を行った後、ＲＦにおける設定処理を行う。
【００２４】
ここで、移動局ＵＥは、ＲＲＣレイヤにおける設定処理が完了した後、ＲＦにおける設定処理が完了する前に、ステップＳ１００２において、無線基地局ｅＮＢに対して、「ｐｅｒｉｏｄｉｃ  ＳＲＳ」等の信号を送信してしまう可能性がある。
【００２５】
その場合、かかる信号は、無線基地局ｅＮＢでは、上りリンクにおける干渉に見えてしまうという問題点があった。
【００２６】
そこで、本発明は、上述の課題に鑑みてなされたものであり、Ｐｃｅｌｌ及び「ＤＬ  Ｓｃｅｌｌ」を用いてＣＡが行われている状態で、「ＵＬ  Ｓｃｅｌｌ」が追加されるケースにおいて、上りリンクにおける干渉の発生を回避することができる移動局及び無線基地局を提供することを目的とする。
【課題を解決するための手段】
【００２７】
本発明の第１の特徴は、移動局であって、プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、所定期間、該上りリンク用セカンダリセルを用いた信号の送信を行わないように構成されていることを要旨とする。
【００２８】
本発明の第２の特徴は、移動局であって、プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、アクティブ指示を受信するまでは、該上りリンク用セカンダリセルを用いた信号の送信を行わないように構成されていることを要旨とする。
【００２９】
本発明の第３の特徴は、移動局であって、プライマリセル及び下りリンク用セカンダリセルを用いてキャリアアグリゲーションが行われている状態で、上りリンク用セカンダリセルを追加した場合、該下りリンク用セカンダリセルがアクティブ状態であっても、無線基地局から上りリンクグラントを受信するまでは、該上りリンク用セカンダリセルを用いた信号の送信を行わないように構成されていることを要旨とする。
【００３０】
本発明の第４の特徴は、無線基地局であって、プライマリセル及び下りリンク用セカンダリセルを用いてキャリアアグリゲーションが行われている移動局に対して、上りリンク用セカンダリセルを追加するように指示する場合、該下りリンク用セカンダリセルを非アクティブ化するように構成されていることを要旨とする。
【００３１】
本発明の第５の特徴は、無線基地局であって、プライマリセル及び下りリンク用セカンダリセルを用いてキャリアアグリゲーションを行っている移動局に対して、上りリンク用セカンダリセルを追加するように指示する場合、該下りリンク用セカンダリセルを一旦削除して上りリンク及び下りリンク用セカンダリセルを追加するように構成されていることを要旨とする。
【００３２】
本発明の第６の特徴は、無線基地局であって、プライマリセル及び下りリンク用セカンダリセルを用いてキャリアアグリゲーションを行っている移動局に対して、上りリンク用セカンダリセルを追加するように指示する場合、Ｉｎｔｒａ-ｃｅｌｌハンドオーバを起動するように構成されていることを要旨とする。
【発明の効果】
【００３３】
以上説明したように、本発明によれば、Ｐｃｅｌｌ及び「ＤＬ  Ｓｃｅｌｌ」を用いてＣＡが行われている状態で、「ＵＬ  Ｓｃｅｌｌ」が追加されるケースにおいて、上りリンクにおける干渉の発生を回避することができる移動局及び無線基地局を提供することができる。
【図面の簡単な説明】
【００３４】
【図１】本発明の第１の実施形態に係る移動通信システムの全体構成図である。
【図２】本発明の第１の実施形態に係る移動局ＵＥの機能ブロック図である。
【図３】本発明の第１の実施形態に係る移動局ＵＥの動作を示すフローチャートである。
【図４】本発明の第２の実施形態に係る無線基地局ｅＮＢの機能ブロック図である。
【図５】本発明の第２の実施形態に係る無線基地局ｅＮＢの動作を示すフローチャートである。
【図６】従来技術を説明するための図である。
【図７】従来技術を説明するための図である。
【発明を実施するための形態】
【００３５】
（本発明の第１の実施形態に係る移動通信システム）
図１乃至図３を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００３６】
図１に示すように、本実施形態に係る移動通信システムは、無線基地局ｅＮＢと、移動局ＵＥとを具備している。
【００３７】
ここで、本実施形態に係る移動通信システムでは、移動局ＵＥが、無線基地局ｅＮＢ配下のＰｃｅｌｌ及びＳｃｅｌｌ（「ＤＬ  Ｓｃｅｌｌ」或いは「ＵＬ  Ｓｃｅｌｌ」）を用いてＣＡが行うことができるように構成されている。
【００３８】
また、本実施形態に係る移動通信システムでは、無線基地局ｅＮＢは、移動局ＵＥに対して、Ｐｃｅｌｌに加えて、「ＤＬ  Ｓｃｅｌｌ」のみを設定してもよいし、「ＤＬ  Ｓｃｅｌｌ」及び「ＵＬ  Ｓｃｅｌｌ」を設定してもよい。
【００３９】
なお、本実施形態では、図１に示すように、移動局ＵＥに対して、Ｐｃｅｌｌに加えて「ＤＬ  Ｓｃｅｌｌ」のみが設定されているケースを例に挙げて説明する。
【００４０】
図２に示すように、本実施形態に係る移動局ＵＥは、制御部１１と、受信部１２と、送信部１３とを具備している。
【００４１】
制御部１１は、無線基地局ｅＮＢとの間の通信に係る各種制御（例えば、ＣＡに係る制御）を行うように構成されており、受信部１２は、無線基地局ｅＮＢから各種信号を受信するように構成されており、送信部１３は、無線基地局ｅＮＢに対して各種信号を送信するように構成されている。
【００４２】
例えば、制御部１１が、Ｐｃｅｌｌ及び「ＤＬ  Ｓｃｅｌｌ」を用いてＣＡを行っている状態で、受信部１２は、無線基地局ｅＮＢから「ＵＬ  Ｓｃｅｌｌ」を追加する指示を受信するように構成されている。
【００４３】
かかる場合、送信部１３は、かかる指示に応じて、かかる「ＤＬ  Ｓｃｅｌｌ」がアクティブ状態であっても、所定期間、追加した「ＵＬ  Ｓｃｅｌｌ」を用いた信号の送信を行わないように構成されていてもよい。
【００４４】
或いは、かかる場合、送信部１３は、かかる指示に応じて、かかる「ＤＬ  Ｓｃｅｌｌ」がアクティブ状態であっても、無線基地局ｅＮＢから、追加した「ＵＬ  Ｓｃｅｌｌ」に対するアクティブ指示を受信するまでは、かかる「ＵＬ  Ｓｃｅｌｌ」を用いた信号の送信を行わないように構成されていてもよい。
【００４５】
或いは、かかる場合、送信部１３は、かかる指示に応じて、かかる「ＤＬ  Ｓｃｅｌｌがアクティブ状態であっても、無線基地局ｅＮＢから「ＵＬ  ｇｒａｎｔ」を受信するまでは、追加した「ＵＬ  Ｓｃｅｌｌ」を用いた信号の送信を行わないように構成されていてもよい。
【００４６】
以下、図３を参照して、本実施形態に係る移動局ＵＥの動作の一例について説明する。
【００４７】
図３に示すように、移動局ＵＥは、Ｐｃｅｌｌ及び「ＤＬ  Ｓｃｅｌｌ」を用いてＣＡを行っている状態で、ステップＳ１０１において、無線基地局ｅＮＢから「ＵＬ  Ｓｃｅｌｌ」を追加する指示を受信すると、ステップＳ１０２において、かかる指示を受信してから、所定期間が経過したか否かについて判定する。
【００４８】
「Ｙｅｓ」の場合、本動作は、ステップＳ１０３に進み、「Ｎｏ」の場合、本動作は、終了する。
【００４９】
ステップＳ１０３において、移動局ＵＥは、追加した「ＵＬ  Ｓｃｅｌｌ」を用いた信号の送信を行う。
【００５０】
本実施形態に係る移動通信システムによれば、移動局ＵＥによってＰｃｅｌｌ及び「ＤＬ  Ｓｃｅｌｌ」を用いてＣＡが行われている状態で、「ＵＬ  Ｓｃｅｌｌ」が追加されるケースにおいて、移動局ＵＥ主導で、「ＵＬ  Ｓｃｅｌｌ」を用いた信号の送信開始を延期することによって、上りリンクにおける干渉の発生を回避することができる。
【００５１】
（本発明の第２の実施形態に係る移動通信システム）
図４及び図５を参照して、本発明の第２の実施形態に係る移動通信システムについて、上述の第１の実施形態に係る移動通信システムとの相違点に着目して説明する。
【００５２】
図４に示すように、本実施形態に係る無線基地局ｅＮＢは、制御部２１と、送信部２２とを具備している。
【００５３】
制御部２１は、移動局ＵＥとの間の通信に係る各種制御（例えば、ＣＡに係る制御）を行うように構成されており、送信部２２は、移動局ＵＥに対して各種信号を送信するように構成されている。
【００５４】
例えば、送信部２２は、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、かかる「ＤＬ  Ｓｃｅｌｌ」を非アクティブ化するように構成されていてもよい。
【００５５】
かかる場合、送信部２２は、かかる「ＵＬ  Ｓｃｅｌｌ」を追加するように指示する「ＲＲＣ  Ｃｏｎｎｅｃｔｉｏｎ  Ｒｅｃｏｎｆｉｇｕｒａｔｉｏｎ」に、「ＤＬ  Ｓｃｅｌｌ」を非アクティブ化するように指示する「ｄｅａｃｔｉｖａｔｉｏｎ  ｃｏｍｍａｎｄ」を多重するように構成されていてもよい。
【００５６】
或いは、送信部２２は、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、かかる「ＤＬ  Ｓｃｅｌｌ」を一旦削除して「ＵＬ/ＤＬ  Ｓｃｅｌｌ」を追加するように構成されていてもよい。
【００５７】
ここで、「ＵＬ/ＤＬ  Ｓｃｅｌｌ」は、上りリンクにおける通信も下りリンクにおける通信も可能である通常のＳｃｅｌｌである。
【００５８】
かかる場合、送信部２２は、移動局ＵＥに対して、かかる「ＤＬ  Ｓｃｅｌｌ」の削除及び「ＵＬ/ＤＬ  Ｓｃｅｌｌ」の追加について、同一のＲＲＣメッセージ（例えば、「ＲＲＣ  Ｃｏｎｎｅｃｔｉｏｎ  Ｒｅｃｏｎｆｉｇｕｒａｔｉｏｎ」）を用いて指示するように構成されていてもよい。
【００５９】
或いは、送信部２２は、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、Ｉｎｔｒａ-ｃｅｌｌハンドオーバを起動するように構成されていてもよい。
【００６０】
なお、かかるＩｎｔｒａ-ｃｅｌｌハンドオーバ時には、移動局ＵＥは、設定されているＳｃｅｌｌを非アクティブ化することが規定されているため、ＲＲＣメッセージとは別でＭＡＣシグナリングを送信することなく、Ｓｃｅｌｌを非アクティブ化することが可能である。
【００６１】
以下、図５を参照して、本実施形態に係る無線基地局ｅＮＢの動作の一例について説明する。
【００６２】
図５に示すように、無線基地局ｅＮＢは、ステップＳ２０１において、Ｐｃｅｌｌ及び「ＤＬ  Ｓｃｅｌｌ」を用いてＣＡを行っている移動局ＵＥに対して「ＵＬ  Ｓｃｅｌｌ」を追加することを決定すると、ステップＳ２０２において、かかる「ＤＬ  Ｓｃｅｌｌ」がアクティブ状態であるか否かについて判定する。
【００６３】
「Ｙｅｓ」の場合、本動作は、ステップＳ２０３に進み、「Ｎｏ」の場合、本動作は、終了する。
【００６４】
ステップＳ２０３において、無線基地局ｅＮＢは、移動局ＵＥに対して、かかる「ＤＬ  Ｓｃｅｌｌ」を非アクティブ化するように指示する。
【００６５】
本実施形態に係る移動通信システムによれば、移動局ＵＥによってＰｃｅｌｌ及び「ＤＬ  Ｓｃｅｌｌ」を用いてＣＡが行われている状態で、「ＵＬ  Ｓｃｅｌｌ」が追加されるケースにおいて、無線基地局ｅＮＢ主導で、かかる「ＤＬ  Ｓｃｅｌｌ」を非アクティブ化することによって、上りリンクにおける干渉の発生を回避することができる。
【００６６】
以上に述べた本実施形態の特徴は、以下のように表現されていてもよい。
【００６７】
本実施形態の第１の特徴は、移動局ＵＥであって、Ｐｃｅｌｌ（プライマリセル）及び「ＤＬ  Ｓｃｅｌｌ（下りリンク用セカンダリセル）」を用いてＣＡ（キャリアアグリゲーション）が行われている状態で、「ＵＬ  Ｓｃｅｌｌ（上りリンク用セカンダリセル）」を追加した場合、かかる「ＤＬ  Ｓｃｅｌｌ」がアクティブ状態であっても、所定期間、かかる「ＵＬ  Ｓｃｅｌｌ」を用いた信号の送信を行わないように構成されていることを要旨とする。
【００６８】
本実施形態の第２の特徴は、移動局ＵＥであって、Ｐｃｅｌｌ及び「ＤＬ  Ｓｃｅｌｌ」を用いてＣＡが行われている状態で、「ＵＬ  Ｓｃｅｌｌ」を追加した場合、かかる「ＤＬ  Ｓｃｅｌｌ」がアクティブ状態であっても、アクティブ指示を受信するまでは、かかる「ＵＬ  Ｓｃｅｌｌ」を用いた信号の送信を行わないように構成されていることを要旨とする。
【００６９】
本実施形態の第３の特徴は、移動局ＵＥであって、Ｐｃｅｌｌ及び「ＤＬ  Ｓｃｅｌｌ」を用いてＣＡが行われている状態で、「ＵＬ  Ｓｃｅｌｌ」を追加した場合、かかる「ＤＬ  Ｓｃｅｌｌがアクティブ状態であっても、無線基地局ｅＮＢから「ＵＬ  ｇｒａｎｔ（上りリンクグラント）」を受信するまでは、かかる「ＵＬ  Ｓｃｅｌｌ」を用いた信号の送信を行わないように構成されていることを要旨とする。
【００７０】
本実施形態の第４の特徴は、無線基地局ｅＮＢであって、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、かかる「ＤＬ  Ｓｃｅｌｌ」を非アクティブ化するように構成されていることを要旨とする。
【００７１】
本実施形態の第５の特徴は、無線基地局ｅＮＢであって、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、かかる「ＤＬ  Ｓｃｅｌｌ」を一旦削除して「ＵＬ/ＤＬ  Ｓｃｅｌｌ（上りリンク及び下りリンク用セカンダリセル）」を追加するように構成されていることを要旨とする。
【００７２】
本実施形態の第５の特徴は、無線基地局ｅＮＢであって、Ｐｃｅｌｌ及び「ＤＬ  Ｓｃｅｌｌ」を用いてＣＡを行っている移動局ＵＥに対して、「ＵＬ  Ｓｃｅｌｌ」を追加するように指示する場合、Ｉｎｔｒａ-ｃｅｌｌハンドオーバを起動するように構成されていることを要旨とする。
【００７３】
なお、上述の移動局ＵＥ及び無線基地局ｅＮＢの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ＵＥ…移動局
ｅＮＢ…無線基地局
１１、２１…制御部
１２…受信部
１３、２２…送信部
【図１】
2015076848.tif 000003
【図２】
2015076848.tif 000004
【図３】
2015076848.tif 000005
【図４】
2015076848.tif 000006
【図５】
2015076848.tif 000007
【図６】
2015076848.tif 000008
【図７】
2015076848.tif 000009